【事件の表示】
　特願２０１３−　９０３５９「ＣＥＬＬ＿ＰＣＨ状態およびＵＲＡ＿ＰＣＨ状態におけるＨＳ−ＤＳＣＨ上でのページングをサポートする方法および装置」拒絶査定不服審判事件〔平成２５年　８月２９日出願公開、特開２０１３−１６８９９２、請求項の数（１４）〕について、次のとおり審決する。
【結　論】
　原査定を取り消す。
　本願の発明は、特許すべきものとする。
【理　由】
第１．手続の経緯　
　本願は、平成２０年８月７日を出願日とする特願２０１０−５２１０８９号（パリ条約による優先権主張　２００７年８月１０日（ＵＳ）アメリカ合衆国、２００７年９月４日（ＵＳ）アメリカ合衆国、２００７年１１月７日（ＵＳ）アメリカ合衆国）の一部を、平成２５年４月２３日に新たに特許出願したものである。
　そして、本願は、平成２６年６月３０日付けで拒絶理由が通知され、平成２７年１月８日付けで手続補正がされ、平成２７年５月１９日付けで拒絶査定がされ、これに対し、平成２７年９月２８日に拒絶査定不服審判が請求されたものである。
第２．本願発明
　本願の請求項１に係る発明は、平成２７年１月８日付けの手続補正で補正された特許請求の範囲の請求項１に記載された事項により特定される、以下のとおりのものである。
「【請求項１】
　無線送信／受信ユニット（ＷＴＲＵ）をページングする方法であって、
　前記方法は、
　ページング要求メッセージを受信するステップであって、前記ページング要求メッセージは、前記ＷＴＲＵが拡張ページングチャネル（ＰＣＨ）機能をサポートするかどうかを示し、前記ページング要求メッセージは、拡張ＰＣＨインジケータを備え、前記拡張ＰＣＨインジケータは、前記ＷＴＲＵが前記拡張ＰＣＨ機能をサポートすることを示す、ステップと、
　そのインジケーションに基づいて前記ＷＴＲＵをページングするステップと
　を備えることを特徴とする方法。」　
（以下、本願の請求項１に係る発明を「本願発明」という。）
第３．原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　 記
刊行物１.Nokia Siemens Networks, Nokia, Ericsson , Qualcomm, Vodafone, TMO，Text Proposal for Paging in Enhanced CELL_FACH，3GPP TSG-RAN WG2 Meeting #58 R2-072209，２００７年　５月
刊行物２.Nokia, NSN，Introduction of HS-DSCH reception in CELL_FACH, URA_PCH and CELL_PCH，3GPP TSG-WG2 Meeting #58 R2-072305，２００７年　５月，pages 29-38
刊行物３.国際公開第２００７／０４０２０１号
第４．当審の判断
１．刊行物１の記載事項
　刊行物１には、図面とともに以下の記載がなされている。
　
（１）「15　HS-DSCH reception in CELL_PCH and URA_PCH states (FDD only)
The HS-DSCH reception in CELL_PCH and URA_PCH state is enabled by the UTRAN by including the parameters for HS-DSCH reception in CELL_PCH and URA_PCH state in the system information broadcast Parameters include PICH, HS-SCCH, HS-DSCH configuration, and the H-RNTI used for PCCH transmission in CELL_PCH and URA_PCH state. The HS-DSCH reception in CELL_PCH and URA_PCH state supports discontinuous reception as when DRX is used the UE needs only to monitor one Page Indicator, PI, in one Paging Occasion per DRX cycle.
When HS-DSCH reception is enabled in the cell, it shall take precedence instead of reception of S-CCPCH and PCH for paging messages in CELL_PCH and URA_PCH states.
UTRAN obtains the knowledge of the UE supporting the reception of HS-DSCH in CELL_PCH and URA_PCH state from the RRC Connection Request/Complete message. Mandatory UE support of HS-DSCH reception in CELL_PCH and URA_PCH state is in Rel-7 is FFS.
When the HS-DSCH reception in CELL_PCH or URA_PCH is enabled, the UTRAN can configure the UEs to store the C-RNTIs and dedicated H-RNTIs when performing reconfiguration to CELL_PCH or URA_PCH state (URA_PCH FFS, pending on RAN WG3)
For UEs with stored C-RNTI and dedicated H-RNTI, the network should use the stored dedicated H-RNTI to transmit DCCH and DTCH to the UE. When UE receives dedicated H-RNTI on HS-SCCH, the UE shall initiate the measurement reporting on RRC as defined in subclause 14.2. When UE has uplink data to transmit, UEs shall initiate the measurement reporting on RRC as defined in subclause 14.2. The UE shall use the stored C-RNTI to transmit DTCH and DCCH without first performing the Cell Update procedure. 
If UTRAN has not configured the UE to store the C-RNTI and H-RNTI in CELL_PCH or URA_PCH state the UTRAN should send paging message on PCCH mapped on HS-DSCH by using H-RNTI HS-PDSCH code and transport block sizes broadcasted in system information. There is one HS-PDCH code and maximum two transport block sizes broadcasted in system information. 」
当審訳
１５　ＣＥＬＬ　ＰＣＨ及びＵＲＡ　ＰＣＨ状態（ＦＤＤのみ）でのＨＳ−ＤＳＣＨ受信
　ＣＥＬＬ　ＰＣＨ及びＵＲＡ　ＰＣＨ状態でのＨＳ−ＤＳＣＨ受信は、ブロードキャストされるシステム情報の、ＰＩＣＨ、ＨＳ−ＳＣＣＨ、ＨＳ−ＤＳＣＨ設定を含むパラメータに、ＣＥＬＬ　ＰＣＨ及びＵＲＡ　ＰＣＨ状態でのＨＳ−ＤＳＣＨ受信のためのパラメータを含むことで、ＵＴＲＡＮにより許可され、ＣＥＬＬ　ＰＣＨ及びＵＲＡ　ＰＣＨ状態でのＰＣＣＨ伝送に用いられる。ＣＥＬＬ　ＰＣＨ及びＵＲＡ　ＰＣＨ状態でのＨＳ−ＤＳＣＨ受信は、ＤＲＸが用いられるときにＵＥが、ＤＲＸサイクルごとの一度のページング機会に、一つのページングインジケータ、ＰＩをモニタするだけですむように、不連続受信をサポートする。
　セル内で、ＨＳ−ＤＳＣＨ受信が許可されるとき、それは、ＣＥＬＬ　ＰＣＨ及びＵＲＡ　ＰＣＨ状態でのページングのために、Ｓ−ＣＣＰＣＨ及びＰＣＨの受信よりも優先されるべきである。
　ＣＥＬＬ　ＰＣＨ及びＵＲＡ　ＰＣＨ状態でのＨＳ−ＤＳＣＨ受信をＵＥがサポートしていることを、ＵＴＲＡＮは、ＲＲＣ接続要求／完了メッセージから、認識する。ＵＥの、ＣＥＬＬ　ＰＣＨ及びＵＲＡ　ＰＣＨ状態でのＨＳ−ＤＳＣＨ受信の、Ｒｅｌ−７で必須のサポートは、ＦＦＳである。
　ＣＥＬＬ　ＰＣＨ及びＵＲＡ　ＰＣＨ状態でのＨＳ−ＤＳＣＨ受信が許可されるとき、ＵＴＲＡＮは、ＵＥが、ＣＥＬＬ　ＰＣＨ及びＵＲＡ　ＰＣＨ状態（ＵＲＡ　ＰＣＨ　ＦＦＳ、ＲＡＮ　ＷＧ３でペンディング中）の再設定を実行するとき、Ｃ−ＲＮＴＩ及び専用のＨ−ＲＮＴＩを記憶するように設定できる。
　Ｃ−ＲＮＴＩ及び専用のＨ−ＲＮＴＩを記憶したＵＥに対して、ＵＥへのＤＣＣＨ及びＤＴＣＨ送信に、記憶した専用のＨ−ＲＮＴＩを、ネットワークは使用すべきである。ＵＥは、ＨＳ−ＳＣＣＨで専用のＨ−ＲＮＴＩを受信すると、１４．２節で定義されたＲＲＣの測定レポートを初期化しなければならない。ＵＥは、送信するアップリンクデータがあると、１４．２節で定義されたＲＲＣの測定レポートを初期化しなければならない。ＵＥは、セル更新処理の最初の実行を行うことなく、ＤＴＣＨ及びＤＣＣＨ送信のために、記憶したＣ−ＲＮＴＩを使用すべきである。
　ＵＴＲＡＮは、ＣＥＬＬ　ＰＣＨまたはＵＲＡ　ＰＣＨ状態で、ＵＥがＣ−ＲＮＴＩ及びＨ−ＲＮＴＩを記憶するように設定しなかったときは、ブ
ロードキャストされるシステム情報のＨＳ−ＰＤＳＣＨコード及び伝送ブ
ロックサイズで、ＨＳ−ＤＳＣＨに配置されたＰＣＣＨにより、ページングメッセージを送信すべきである。一つのＨＳ−ＰＤＳＣＨコードと、最大２つの伝送ブロックサイズが、システム情報によりブロードキャストされ
る。」
　そうすると、刊行物１には、次の発明（以下、「引用発明」という。）が記載されているといえる。
　ＵＥをページングする方法であって、
　前記方法は、
　ＲＲＣ接続要求／完了メッセージを受信するステップであって、前記メッセージは、前記ＵＥがＨＳ−ＤＳＣＨ受信機能をサポートするかどうかを示す、ステップと、
　ＨＳ−ＤＳＣＨで前記ＵＥをページングするステップと
　を備えることを特徴とする方法。
２．対比
　引用発明の「ＵＥ」は、ユーザが使用する無線送信／受信ユニットであ
る。
　引用発明の「ＲＲＣ接続要求／完了メッセージ」と本願発明の「ページング要求メッセージ」とは、メッセージである点で共通する。
　引用発明の「ＵＥがＨＳ−ＤＳＣＨ受信機能をサポートするかどうかを示す」こと、及び本願発明の「ＷＴＲＵが拡張ページングチャネル（ＰＣＨ）機能をサポートするかどうかを示し」とすることは、無線送信／受信ユニットが特定の機能をサポートするかどうかを示す点で共通する。
　そこで、本願発明と引用発明とを対比すると、次の点で一致及び相違している。
（１）一致点
　無線送信／受信ユニットをページングする方法であって、
　前記方法は、
　メッセージを受信するステップであって、前記メッセージは、前記無線送信／受信ユニットが特定の機能をサポートするかどうかを示す、ステップ
と、
　前記無線送信／受信ユニットをページングするステップと
　を備えることを特徴とする方法。
（２）相違点１
　「メッセージを受信するステップであって、前記メッセージは、前記無線送信／受信ユニットが特定の機能をサポートするかどうかを示す、ステッ
プ」が、本願発明ではメッセージが「ページング要求メッセージ」であり、特定の機能が「拡張ページングチャネル（ＰＣＨ）機能」であるのに対し
て、引用発明は「ＲＲＣ接続要求／完了メッセージ」及び「ＨＳ−ＤＳＣＨ受信機能」である点
（３）相違点２
　本願発明は、「ページング要求メッセージは、拡張ＰＣＨインジケータを備え、前記拡張ＰＣＨインジケータは、前記ＷＴＲＵが前記拡張ＰＣＨ機能をサポートすることを示す」とするのに対して、引用発明はインジケータについての特定がない点。
（４）相違点３
　「前記無線送信／受信ユニットをページングするステップ」が、本願発明は「そのインジケーションに基づいて前記ＷＴＲＵをページングするステップ」であるのに対して、引用発明はインジケーションに基づくことの特定がされていない点。
３．相違点の判断
　上記相違点１について検討する。
　前記「第３．原査定の理由の概要」の刊行物３には、
「[0092]　第４４の技術手段は、移動通信システムに使用され、移動局装置への着信があった場合にページング要求を基地局装置に送信する位置管理装置において、該位置管理装置は、該ページング要求に、少なくとも該移動局装置の識別情報と移動局装置の能力周波数帯域幅を示す情報とを含ませることを特徴としたものである。」
等と記載されているように、無線送信／受信ユニットである「移動局装置」の特定の機能といえる能力周波数帯域幅を示す情報を含んだページング要求メッセージを受信することが記載されている。
　しかし、引用発明の「ＲＲＣ接続要求／完了メッセージ」は、明示的な記載はないが、無線送信／受信ユニットである「ＵＥ」から送られるメッセージであり、それに対して、ページング要求メッセージは無線送信／受信ユ
ニットから送られるメッセージではなく、刊行物３に記載されている「位置管理装置」のような上位装置等の無線送信／受信ユニット以外のものから送られてくるメッセージである。
　したがって、仮に、特定の機能を「拡張ページングチャネル（ＰＣＨ）機能」とすることが可能であるとしても、メッセージを送信元の異なる他の
メッセージに置き換えることが容易であるとはいえないから、引用発明において、相違点１を本願発明のようにすることは、当業者が容易にできることではない。
　したがって、他の相違点について検討するまでもなく、本願発明は、引用発明及び刊行物３に記載された発明に基いて、当業者が容易に発明をすることができたとものとはいえない。
　また、前記「第３．原査定の理由の概要」の刊行物２には、ＵＥにおい
て、ＣＥＬＬ　ＰＣＨ状態およびＵＲＡ　ＰＣＨ状態にて送信するセル更新メッセージが、ＨＳ−ＤＳＣＨをサポートしていることを示す能力表示を含むことが記載されているが、引用発明の場合と同様に、本願発明は、刊行物２及び３に記載された発明に基いて、当業者が容易に発明をすることができたものとはいえない。
　また、本願の請求項２−１４に係る発明についても、本願発明と同様に、刊行物１−３に記載された発明に基いて、当業者が容易に発明をすることができたものとはいえない。
第５．むすび
　以上のとおり、本願の請求項１−１４に係る発明は、刊行物１−３に記載された発明に基いて、当業者が容易に発明をすることができたものとすることができないから、原査定の理由によっては、本願を拒絶することはできない。
　また、他に本願を拒絶すべき理由を発見しない。
　よって、結論のとおり審決する。